(57)【要約】      （修正有）【課題】美容、スキンケア及びヘアトリートメントの効果を達成する多機能美容スキンケアヘアトリートメント機を提供する。【解決手段】多機能美容スキンケアヘアトリートメント機１は筐体１９、貯水室１２、音波振動器１９７、加熱室１３、第一仕切り版１９１、第二仕切り版１９２、霧流路１９３及び霧出口１９８を備える。前記貯水室１２が前記筐体１９の中に位置し、前記音波振動器１９７が前記貯水室１２の中の底部に設けられ、前記加熱室１３が筐体１９の中に位置し、且つ前記加熱室１３の中に複数の加熱器１３５が設けられる。前記霧流路１９３は前記貯水室１２と前記加熱室１３の間を貫いて、接続し、且つ前記霧流路１９３は順次に前記第一仕切り版１９１の上方と第二仕切り版１９２の下方を通る。前記加熱室１３は霧出口１９８によって霧を前記筐体１９の外へ導き出す。【選択図】図３
0003195783.tif 000002
【実用新案登録請求の範囲】
【請求項１】
美容、スキンケア及びヘアトリートメント効果を達成する多機能美容スキンケアヘアトリートメント機(1)であって、
筐体(19)と、
前記筐体(19)の中に位置する貯水室(12)と、
前記貯水室(12)の中の底部に設けた音波振動器(197)と、
内部に複数の加熱器(135)を有し、前記筐体(19)の中に位置する加熱室(13)と、
下の部分が前記筐体(19)の中の底部に繋がる第一仕切り版(191)と、
上の部分が前記筐体(19)の中の頂部に繋がる第二仕切り版(192)と、
順次に前記第一仕切り版(191)の上方と前記第二仕切り版(192)の下方を通って、前記貯水室(12)と前記加熱室(13)との間に接続する霧流路(193)と、
前記加熱室(13)からの霧を前記筐体(19)の外へ導き出す霧出口(198)と、を備えることを特徴する多機能美容スキンケアヘアトリートメント機(1)。
【請求項２】
前記多機能美容スキンケアヘアトリートメント機(1)に少なくとも一つの発光二極体(14)を有し、前記発光二極体(14)が前記筐体(19)の外側に設けられることを特徴する請求項1に記載の多機能美容スキンケアヘアトリートメント機(1)。
【請求項３】
前記発光二極体(14)が放つ光線の方向は前記霧出口(198)の方向と同じであることを特徴する請求項2に記載の多機能美容スキンケアヘアトリートメント機(1)。
【請求項４】
複数の前記加熱器(135)が並んで配置されることを特徴する請求項1に記載の多機能美容スキンケアヘアトリートメント機(1)。
【請求項５】
複数の前記加熱器(135)が等間隔に配置されることを特徴する請求項1に記載の多機能美容スキンケアヘアトリートメント機(1)。
【請求項６】
複数の前記加熱器(135)が多層で交錯の方式で配置されることを特徴する請求項1に記載の多機能美容スキンケアヘアトリートメント機(1)。
【請求項７】
前記第一仕切り版(191)又は前記第二仕切り版(192)が前記貯水室(12)と前記加熱室(13)の間に設けることを特徴する請求項1に記載の多機能美容スキンケアヘアトリートメント機(1)。
【請求項８】
前記第一仕切り版(191)は垂直に配置されるか若しくは前記第二仕切り版(192)が垂直に配置されることを特徴する請求項1に記載の多機能美容スキンケアヘアトリートメント機(1)。
【請求項９】
前記多機能美容スキンケアヘアトリートメント機(1)に給水口(194)を有し、前記給水口(194)が前記筐体(19)の上に設けられ、且つ前記貯水室(12)の真上に位置することを特徴する請求項1に記載の多機能美容スキンケアヘアトリートメント機(1)。
【請求項１０】
前記加熱器(135)はセラミックヒーター若しくは抵抗型ヒーターであることを特徴する請求項1に記載の多機能美容スキンケアヘアトリートメント機(1)。
【考案の詳細な説明】
【技術分野】
【０００１】
本考案は美容、美白、スキンケア及びヘアトリートメントのマシンに係わり、特に美容院で使えて、スタイリストが顧客のヘア、スキンを潤したり、メンテナンスしたり、美容をしたりする多機能美容スキンケアヘアトリートメント機である。
【背景技術】
【０００２】
現在の社会で男女を問わず、皆見た目の美観、良さを意識している。中でも肌の艶、白皙とヘアスタイルが各種の外見感想で最も重要な部分を占めている。これが、大通りも路地も林立するヘアサロン、美容室が見える理由である。それに美容、美白、スキンケア及びヘアトリートメントがヘアサロン、美容室では最も一般的なサービス項目だと言える。
【０００３】
従来の床屋、理髪店、美容室内のパーマ機、トリートメント機は同時に美容、美白、スキンケア及びヘアトリートメントなどの多くの機能を持つことも、有効に統合することもできない。一般的には、美容は発光二極体（Light Emitted Diode，LED）が放つシングルバンドの美容光束を肌に照らして、それに潤いの霧で潤したり、スキンケアしたりすることによって、粗大気孔、小皺の改善、更ににきびの回復を速める。或いはシミ、くすみを解消する。つまり、よく常に光束を肌に照らして、霧で潤せば、徐々に美白の効果が出る。もちろん、潤いの霧は適度に蒸気の温度が調整できたら、美容師が各お客様の肌の条件に応じて霧の温度を調整して、美容、美白の効果を上げる。
【０００４】
それ以外、床屋、理髪店、美容室はよく霧吹きで髪に軽く霧を吹いて、髪をメンテナンスしたり、潤したりする。それに、ドライヤーで髪の上の霧を温めて、霧の温度を上げる。このように、髪の乾燥、分岐、ツヤのない状況を改善できる。
【０００５】
しかし、一般的にはスキンケア、ヘアトリートメントとミストを出すマシンは別個に設けられるので、それにスキンケアのマシンも同時にヘアトリートメントの機能を併せることができない。その結果、床屋、理髪店、美容室は同時に複数のマシンを購入しないとお客様の違うニーズに応じられない。それがコストを上昇させるので、関係の業者がこの業界に入りにくくなる。
【０００６】
なので、如何に従来の複数のマシンを購入する高いコストを改善して、多くの機能を統合すると同時に、美容、美白スキンケア及びヘアトリートメントの多重機能を実現するかは本技術分野通常の知識を持つ者の努力目標である。
【考案の概要】
【考案が解決しようとする課題】
【０００７】
本考案の主な目的は床屋、理髪店、美容室が同時に複数のマシンを購入しなければならないので、コストが高いという従来の欠点を改善することである。
【０００８】
本考案のもう一つの目的は美容、美白、スキンケア及びヘアトリートメントの多重機能を一台のマシンに統合して、一台のマシンが同時に美容、スキンケア及びヘアトリートメントの機能を持たせる。
【課題を解決するための手段】
【０００９】
本考案は美容、スキンケア及びヘアトリートメント効果を達成する多機能美容スキンケアヘアトリートメント機であって、この多機能美容スキンケアヘアトリートメント機は筐体、貯水室、音波振動器、加熱室、第一仕切り版、第二仕切り版、霧流路及び霧出口を備える。前記貯水室が前記筐体の中に位置し、前記音波振動器が前記貯水室の中の底部に設けられ、前記加熱室が筐体の中に位置し、且つ前記加熱室の中に複数の加熱器が設けられる。前記霧流路は前記貯水室と前記加熱室の間を貫いて、接続し、且つ前記霧流路は順次に前記第一仕切り版の上方と第二仕切り版の下方を通る。前記加熱室は霧出口によって霧を前記筐体の外へ導き出す。
【００１０】
上述のように、前記多機能美容スキンケアヘアトリートメント機に少なくとも一つの発光二極体を有し、前記発光二極体が前記筐体の外側に設けられる。もっと詳細の実施するための形態では前記発光二極体が放つ光線の方向は前記霧出口の方向と同じである。
【００１１】
上述のように、前記多機能美容スキンケアヘアトリートメント機は複数の前記加熱器が並んで配置される。
【００１２】
上述のように、前記多機能美容スキンケアヘアトリートメント機は複数の前記加熱器が等間隔に配置される。
【００１３】
前記多機能美容スキンケアヘアトリートメント機は複数の前記加熱器が多層で交錯の方式で整列して配置される。
【００１４】
前記多機能美容スキンケアヘアトリートメント機は前記第一仕切り版又は前記第二仕切り版が前記貯水室と前記加熱室の間に設ける。
【００１５】
前記多機能美容スキンケアヘアトリートメント機は前記第一仕切り版が垂直に配置されるか若しくは前記第二仕切り版が垂直に配置される。
【００１６】
前記多機能美容スキンケアヘアトリートメント機に給水口を有し、前記給水口が前記筐体の上に設けられ、且つ前記貯水室の真上に位置する。
【００１７】
前記多機能美容スキンケアヘアトリートメント機は前記加熱器がセラミックヒーター若しくは抵抗型ヒーターである。
【考案の効果】
【００１８】
本考案の多機能美容スキンケアヘアトリートメント機は複数のマシンを購入する高いコストという従来の欠点を改善することができる。且つ多くの機能を統合して、同時に美容、美白、スキンケア及びヘアトリートメントの多重機能を実現させる。
【図面の簡単な説明】
【００１９】
【図１】本考案の第１の実施の形態に係る多機能美容スキンケアヘアトリートメント機を示した立体図である。
【図２】本考案の第１の実施の形態に係る多機能美容スキンケアヘアトリートメント機を示した立体図である。
【図３】本考案の第１の実施の形態に係る多機能美容スキンケアヘアトリートメント機を示した側面断面図である。
【図４】本考案の第１の実施の形態に係る多機能美容スキンケアヘアトリートメント機を示した局部の水平断面図である。
【図５】本考案の第２の実施の形態に係る多機能美容スキンケアヘアトリートメント機を示した側面断面図である。
【図６】本考案の第３の実施の形態に係る多機能美容スキンケアヘアトリートメント機を示した側面断面図である。
【図７】本考案の第４の実施の形態に係る多機能美容スキンケアヘアトリートメント機を示した側面断面図である。
【図８】本考案の第５の実施の形態に係る多機能美容スキンケアヘアトリートメント機を示した側面断面図である。
【考案を実施するための形態】
【００２０】
＜第１の実施の形態＞
同時に図1〜図4を参照して、本考案の多機能美容スキンケアヘアトリートメント機1は筐体19、複数の発光二極体14（Light Emitted Doide，LED）、貯水室12、音波振動器197、加熱室13、第一仕切り版191、第二仕切り版192、給水口194、霧流路193及び霧出口198を備える。発光二極体14の数は複数で、且つ筐体19の外側に設けられるので、発光二極体14は多機能美容スキンケアヘアトリートメント機1の前方に光を当てることによって、発光二極体14の光線が人間の肌を照らす。一般的には、発光二極体14の数は複数である。しかし一つだけを設けることもできる。図1、図2 に示すように、本実施形態の発光二極体14の数は四つで、それぞれ赤、青、オレンジ色、黄色など四種のシングルバンド（単一色）の光線を放つ。
【００２１】
貯水室12は筐体19の内部に位置する。効用は清水を溜めることと、清水を置くことである。図3 に示すように、給水口194は筐体19の上に設けられた。更に良い場所は貯水室12の真上に位置する。このように、清水は給水口194から下に流れたら、貯水室12の中に溜められる。
【００２２】
音波振動器197は貯水室12の中の底部に設けるので、清水が貯水室12注ぎ込んでくる時、音波振動器197は高周波振動で音波振動器197の周辺の水を霧化させ、これによって霧が充満してきて、筐体19内全部に広がる。加熱室13も筐体19の内部に位置し、且つ加熱室13の中に複数の加熱器135が設けられる。複数の加熱器135が水平に並んで配置される。更に良い実施するための形態では、複数の加熱器135が等間隔に配置される。結果として、図3 に示すように、筐体19内部の左半分の霧が複数の加熱器135によって、加熱されて温度が上昇して、霧が美容、スキンケアに相応しい温度になる。
【００２３】
更に良い実施するための形態では、加熱器135はセラミックヒーター若しくは抵抗型ヒーターである。その結果、加熱器135の温度制御は急速に温度を上げて、直ちに電気を止める効果が簡単に実現する。それで、美容師は回路基板の機能設計を通して、加熱器135の発熱温度を制御することができる。
【００２４】
それ以外、霧流路193は貯水室12と加熱室13との間を貫いて、接続する。第一仕切り版191、第二仕切り版192は貯水室12加熱室13との間に設ける。つまり、第一仕切り版191も、第二仕切り版192も筐体19の内部に設けられる。第一仕切り版191の下の部分は筐体19の中の底部に繋がる。第二仕切り版192の上の部分は筐体19の中の頂部に繋がる。これにより、貯水室12から加熱室13までの間には第一仕切り版191、第二仕切り版192が設けられるので、屈曲で湾曲したチャンネル（channel）つまりルートになる。図3 に示すように、霧流路193は順次に第一仕切り版191の上方と第二仕切り版192の下方を通って、それで霧流路193は繰り返して曲がりくねった長いルート（long channel）構造である。また、霧出口198は筐体19の一番左側に設けられることによって、加熱室13は筐体19の左側の霧出口198を通して、霧を筐体19の外へ導き出す。
【００２５】
このように、貯水室12の内部の清水が音波振動器197の振動によって、霧になる時は霧流路193の内部に漂って広がる。それに、順次に第一仕切り版191の上方、第二仕切り版192の下方を通って、加熱室13の中に入る。その後、加熱室13の中の霧は複数の加熱器135によって、加熱されて温度が上昇して、適当な温度になってから、加熱室13の左側の霧出口198から流れ出る。その霧で人間の肌或いは髪に軽く吹いて、人間の肌或いは髪を潤したり、メンテナンスしたりすることによってスキンケア及びヘアトリートメントの機能を実現する。
【００２６】
更に良い実施するための形態では、筐体19の中に送風機（未図示）を設けることもできる。送風機は貯水室12の上半部にも、霧流路193の中にも設けることができる。更に加熱室13の中に設けることができる。送風機の目的は霧の流れを速めることであって、霧が出たら、速めに筐体19の中の曲折するルートを通って、そして霧出口198を通り抜いて人間の肌あるいは髪に吹く。それ以外、図2、図3 に示すように、複数の発光二極体14は同時に光線を多機能美容スキンケアヘアトリートメント1の前方に放つ。霧出口198も多機能美容スキンケアヘアトリートメント1の前方に向いていることで、発光二極体14が放つ光線の方向は霧出口198の方向と同じである。その結果、美容師は同時に発光二極体14が放つ光線と霧出口198から噴出する霧を使って、お客様に対して美容と保湿、潤しあるいはメンテナンスを行う。又は、筐体19の中の第一仕切り版191と第二仕切り版192は垂直に配置するほうがいい。その上で、霧出口198から噴出した潤いの霧で潤したり、スキンケアしたりすることによって、粗大気孔の状況も、小皺も改善できる。更ににきびの回復を速める。或いはシミ、くすみを解消する。つまり、よく常に光束を肌に照らして、霧で潤せば、徐々に美白の効果が出る。それ以外に、本考案の多機能美容スキンケアヘアトリートメント機1は各お客様の肌の条件に応じるために、複数の加熱器135で噴出した霧を加熱する或いは霧の温度を調整して、美容、美白の効果を上げる。ヘアトリートメントの効果について、本考案の多機能美容スキンケアヘアトリートメント機1は温度を持つ霧を髪の毛に吹いて、髪の上のキューティクルの構造が水分を吸収することによって、潤す効果を実現する。このように、髪の乾燥、分岐、ツヤのない状況を改善できる。それで、本考案の多機能美容スキンケアヘアトリートメント機1は美容、美白、スキンケア及びヘアトリートメントの多重機能を持つので、理髪店、美容室は複数のマシンを買う必要がなくなってコストを下げる。
【００２７】
＜第２の実施の形態＞
図5を参照して、本実施形態の多機能美容スキンケアヘアトリートメント機1は加熱室13の中の複数の加熱器135が二列に並べて、上層の加熱器135が下層の加熱器135と互いに整列する。このように、加熱器135の数が増えて、霧と加熱器135の接触総面積が増加するので、加熱の速度が速くなって、霧の温度が上昇する速度も速くなる。
【００２８】
＜第３の実施の形態＞
図6を参照して、本実施形態の多機能美容スキンケアヘアトリートメント機1は加熱室13の中の複数の加熱器135が二列に並べる。しかし、上層の加熱器135は下層の加熱器135と交錯の方式で配置される（上層と下層は整列されない）。このように、霧が上層と下層を通る時、霧を分散しやすくなって乱流が起こる。乱流の熱交換の効率は"非乱流"の熱交換の効率より高いので、霧の温度が上昇する速度も速くなる。
【００２９】
＜第３、４の実施の形態＞
図6〜図7を参照して、図6の多機能美容スキンケアヘアトリートメント機1の加熱器135は三列（三層）に並べる。しかし、各層は上下に整列される。図7の多機能美容スキンケアヘアトリートメント機1の加熱器135も同じに三列（三層）に並べる。しかし、多層の加熱器135の間は交錯の方式で互いに配置される。
【００３０】
上述をまとめて、本考案の多機能美容スキンケアヘアトリートメント機1は美容、美白、スキンケア及びヘアトリートメントの多重機能を持つ。理髪店、美容室はコストを下げることができるので、十分に引き合う。
【符号の説明】
【００３１】
1    多機能美容スキンケアヘアトリートメント機
12   貯水室
13   加熱室
135  加熱器
14   発光二極体
19   筐体
191  第一仕切り版
192  第二仕切り版
193  霧流路
194  給水口
197  音波振動器
198  霧出口
【図１】
0003195783.tif 000003
【図２】
0003195783.tif 000004
【図３】
0003195783.tif 000005
【図４】
0003195783.tif 000006
【図５】
0003195783.tif 000007
【図６】
0003195783.tif 000008
【図７】
0003195783.tif 000009
【図８】
0003195783.tif 000010